(57)【要約】【課題】取付脚が周囲に張り出た圧縮機であっても、防音筺体を小型化できるようにして前記した問題を解決した空気調和機の室外機を提供する。【解決手段】排気ファン１３、熱交換器１４、圧縮機１６等を内部に備え、且つ圧縮機１６の周囲を防音筺体１５で覆った空気調和機の室外機において、防音筺体１５に、圧縮機１６の取付脚を位置させるための切欠穴１８を形成した。【選択図】図２
2010121853.tif 000002
【特許請求の範囲】
【請求項１】
熱交換器、排気ファン、圧縮機等を内部に備え、且つ前記圧縮機の周囲を防音筺体で覆った空気調和機の室外機において、
前記防音筺体に、前記圧縮機の取付脚を導出させるための切欠穴または切起片を形成したことを特徴とする空気調和機の室外機。
【請求項２】
前記防音筺体は、その内壁に吸音材が貼付されていることを特徴とする請求項１に記載の空気調和機の室外機。
【請求項３】
前記防音筺体の側板を、左側板と右側板で構成し、該右側板および該左側板の少なくとも一方を前側板と後側板に分割し、該後側板に対して該前側を前後方向にスライド着脱可能とし、且つ前記前側板と前記後側板の衝合部に前記切欠穴または前記切欠片を形成したことを特徴とする請求項１または２に記載の空気調和機。
【請求項４】
前記吸音材の一部が、前記切欠穴に位置する前記圧縮機の取付脚を覆うように切り込まれ、前記切欠穴から露出することを特徴とする請求項２または３に記載の空気調和機の室外機。
【請求項５】
前記吸音材が、前記切起片の裏面にまで貼付されていることを特徴とする請求項２または３に記載の空気調和機の室外機。
【発明の詳細な説明】
【技術分野】
【０００１】
本発明は、圧縮機の防音対策を施した空気調和機の室外機に関するものである。
【背景技術】
【０００２】
空気調和機の室外機には、熱交換機、排気ファン、圧縮機等が組み込まれているが、圧縮機は大きな騒音を発生するので、従来から騒音対策が取られてきた。すなわち、圧縮機を囲むように防音筺体（隔壁）を設けて、その圧縮機が発生する騒音を遮蔽することが行われてきた（例えば、特許文献１参照）。
【特許文献１】特開２００７−１００９８５号公報
【発明の開示】
【発明が解決しようとする課題】
【０００３】
ところが、圧縮機は、発生する運転時の振動に耐えるために、室外機の本体ケース底板への取付脚が、圧縮機本体よりも周囲に張り出た形状となっており、このため、防音筺体の大きさを、圧縮機本体を単純に囲む程度の大きさよりもかなり大きくしなければならなかった。このため、室外機内部のスペースが空費され、室外機小型化の障害の要因の１つとなっていた。
【０００４】
本発明の目的は、取付脚が周囲に張り出た圧縮機であっても、防音筺体を小型化できるようにして前記した問題を解決した空気調和機の室外機を提供することである。
【課題を解決するための手段】
【０００５】
上記目的を達成するために、請求項１にかかる発明は、熱交換器、排気ファン、圧縮機等を内部に備え、且つ前記圧縮機の周囲を防音筺体で覆った空気調和機の室外機において、前記防音筺体に、前記圧縮機の取付脚を導出させるための切欠穴または切起片を形成したことを特徴とする。
請求項２にかかる発明は、請求項１に記載の空気調和機の室外機において、前記防音筺体は、その内壁に吸音材が貼付されていることを特徴とする。
請求項３にかかる発明は、請求項１または２に記載の空気調和機において、前記防音筺体の側板を、左側板と右側板で構成し、該右側板および該左側板の少なくとも一方を前側板と後側板に分割し、該後側板に対して該前側を前後方向にスライド着脱可能とし、且つ前記前側板と前記後側板の衝合部に前記切欠穴または前記切欠片を形成したことを特徴とする。
請求項４にかかる発明は、請求項２または３に記載の空気調和機の室外機において、前記吸音材の一部が、前記切欠穴に位置する前記圧縮機の取付脚を覆うように切り込まれ、前記切欠穴から露出することを特徴とする。
請求項５にかかる発明は、請求項２または３に記載の空気調和機の室外機において、前記吸音材が、前記切起片の裏面にまで貼付されていることを特徴とする。
【発明の効果】
【０００６】
本発明によれば、防音筺体に、圧縮機の張り出た取付脚を位置させる切欠穴を形成したことにより、防音筺体の大きさを圧縮機本体を囲む大きさに小型化でき、室外機の小型化を図ることができる。
【発明を実施するための最良の形態】
【０００７】
以下、本発明の室外機の実施例について説明する。図１は空気調和機の室外機１０の正面パネルを取り外した斜視図、図２は室外機１０の内部の防音筺体の周囲部分を示す斜視図、図３は内部の防音筺体の周囲部分を示す上面図、図４と図５は防音筺体の右前側板と右後側板の分解斜視図、図６は別の例の右前側板と右後側板の分解斜視図である。
【０００８】
図１において、１１は正面パネルを取り外した正面であり、その左右側面および背面には吸込口１２が設けられ、上面には排気ファン１３を備えた吹出口が設けられている。また、内壁の左右側面と背面には、吸込口１２に対応して熱交換機１４が縦配置されている。１５は圧縮機１６を覆うように取り付けられた防音筺体であり、室外機１０の本体ケースの底板１７上に設けられている。
【０００９】
この防音筺体１５は、前板１５１、左前側板１５２、左後側板１５３、前天板１５４、後天板１５５、背板１５６、右後側板１５７、および右前側板１５８からなり、圧縮機１６の周囲および上面を覆う形状となっており、内壁にはＣＲゴム、多孔質材料等の吸音材１５９（図２では図示せず）が貼付されている。左前側板１５２と左後側板１５３は左側板を構成し、前天板１５４と後天板１５５は天板を構成し、右後側板１５７と右前側板１５８は右側板を構成する。左後側板１５３、右後側板１５７、背板１５６は、それぞれ個々に板金で形成しても、あるいは１枚板金を曲折して形成してもよい。
【００１０】
右後側板１５７には、図４に示すように、その前縁の上下位置に、切り込みと折り曲げにより切起爪１５７ａ、１５７ｂが形成され、右前側板１５８の後縁部がその切起爪１５７ａ、１５７ｂに対して、嵌め込まれるようになっている。
【００１１】
右前側板１５８には、その下奥角部分に切欠部１５８ａが形成され、その右前側板１５８の後縁部を右後側板１５７の切起爪１５７ａ、１５７ｂに対して嵌め込むことにより、その切欠部１５８ａと右後側板１７８の前縁下部との間に、図２に示すように、切欠穴１８が形成されるようになっている。すなわち、切欠穴１８は、防音筺体１５の下辺に形成されている。
【００１２】
圧縮機１６は、その下部に周囲に張り出るように取付脚１６１が取り付けられており、図２に示すように、この取付脚１６１が防振ゴム１９を介して本体ケースの底板１７にネジで支持されている。
【００１３】
さて、本実施例では、防音筺体１５の切欠穴１８が、その圧縮機１６の最も外側（右側）に張り出す取付脚１６１を跨ぐ位置となるように、その防音筺体１５を取り付ける（図２）。これによって、防音筺体１５は、従来では取付脚１６１を内側に囲い込むような大きさに設計しなければならなかったところが、本実施例では、取付脚１６１を跨ぐようになるので、その防音筺体１５の大きさを小型化することができ、ひいては室外機１０の小型化に貢献することができる。
【００１４】
なお、防音筺体１５に形成した切欠穴１８には、これに限るものではなく、右後側板１５７に切欠部を形成することで切欠穴１８を形成してもよい。また、図６に示すように、右前側板１５８の切欠部１５８ａに代えて、外側に切り起こされた切起片１５８ｂを形成して、その切起片１５８ｂが圧縮機１６の取付脚１６１から逃げるようにしてもよい。また、この切起片は右後側板１５７に形成してもよい。
【００１５】
また、防音筺体１５の内壁に貼付する吸音材は、図５に示すように、切欠穴１８に位置する部分に下端から上側に向けて切り込みを入れて、外部に引き出し、圧縮機１６の取付脚１６１の上に載るようにしてもよい。また、切起片１５８ｂを使用する場合には、図６に示すように、その切起片１５８ｂの裏面に貼付すればよい。このように切欠穴１８あるいは切起片１５８ｂに吸音材を設けると、切欠穴１８や切起片１５８ｂを形成したことによる防音効果の低減を回復することができる。
【００１６】
また、以上では圧縮機１６の１箇所の取付脚１６１を跨ぐように防音筺体１５を形成した例で説明したが、多数の取付脚１６１が防音筺体１５から外側に張り出すような場合は、同様の構造でそれら全ての取付脚１６１を跨ぐように構成すればよい。
【図面の簡単な説明】
【００１７】
【図１】本発明の実施例の室外機の正面パネルを取り外した斜視図である。
【図２】同室外機の防音筺体の周囲部分を示す斜視図である。
【図３】同室外機の防音筺体の周囲部分を示す上面図である。
【図４】同室外機の防音筺体の右前側板と右後側板の分解斜視図である。
【図５】同室外機の防音筺体の吸音材引き出しの右前側板と右後側板の分解斜視図である。
【図６】本発明の別の実施例の室外機の防音筺体の右前側板と右後側板の分解斜視図である。
【符号の説明】
【００１８】
１０：室外機
１１：正面、１２：吸込口、１３：排気ファン、１４：熱交換機、１５：防音筺体、１６：圧縮機、１７：本体ケースの底板、１８：切欠穴、１９：防振ゴム
１５１：防音筺体の前板、１５２：左前側板、１５３：左後側板、１５４：前天板、１５５：後天板、１５６：背板、１５７：右後側板、１５８：右前側板、１５９：吸音材
１５７ａ，１５７ｂ：切起爪
１５８ａ：切欠部、１５８ｂ：切起片
【図１】
2010121853.tif 000003
【図２】
2010121853.tif 000004
【図３】
2010121853.tif 000005
【図４】
2010121853.tif 000006
【図５】
2010121853.tif 000007
【図６】
2010121853.tif 000008